(57)【要約】      （修正有）【課題】  給水加熱装置により、所定の蓄熱量になるまで給水を加熱して貯湯タンク内に貯める貯湯式給湯装置において、蓄熱量不足時においても追い焚き動作を可能にする。【解決手段】  貯湯タンク１内の湯は、温度検出手段３１〜３６により検出された熱量が所定温度以上の場合、風呂の追い焚き用に使用される。貯湯タンク１内の湯の熱量が所定温度以下の場合、給水加熱装置２からの湯を直接風呂の追い焚き用に使用される。また、目標熱量が所定温度以下で、出湯の指令があった場合は、給水加熱装置２からの湯を優先して出湯し、貯湯タンク１内の湯は、風呂の追い焚き用として使用される。【選択図】    図１
2007010283.tif 000002
【特許請求の範囲】
【請求項１】
給水加熱装置を稼働させ、制御装置により指令された目標蓄熱量になるまで給水を加熱して、貯湯タンク内に湯を貯めて置き、前記湯を蛇口からの使用、および浴槽への追い焚きに使用する貯湯式給湯方法において、
前記貯湯タンク内における目標熱量が所定温度以上の場合、前記貯湯タンク内の湯を追い焚き用に使用し、
前記貯湯タンク内における目標熱量が所定温度以下の場合、給水加熱装置からの湯を追い焚き用に使用し、
前記貯湯タンク内における目標熱量が所定温度以下で、出湯の指令があった場合、導出口からの出湯を優先し、前記貯湯タンク内の湯を追い焚き用に使用することを特徴とする貯湯式給湯方法。
【請求項２】
給水加熱装置を稼働させ、制御装置により指令された目標蓄熱量になるまで給水を加熱して、貯湯タンク内に湯を貯めて置き、前記湯を蛇口からの使用、および浴槽への追い焚きに使用する貯湯式給湯装置において、
前記貯湯タンク内における湯の温度を検出する温度検出手段と、
前記貯湯タンク内の湯を加熱する第１の循環回路からなる給水加熱手段と、
前記温度検出手段により前記貯湯タンク内における湯の温度が所定温度以上の場合、前記貯湯タンクから第２の循環回路へ、前記湯の温度が所定温度以下の場合、前記給水加熱装置側から第２の循環回路へ湯を送ることができる第１の三方弁と、
前記第２の循環回路を循環する湯によって熱交換を行なう熱交換器と、
前記熱交換器によって熱交換された湯が循環する第３の循環回路と、
前記第３の循環回路に挿入されて浴槽に繋がる追い焚き用第２の三方弁と、
を少なくとも備えていることを特徴とする貯湯式給湯装置。
【請求項３】
前記貯湯タンク内における湯の所定温度は、浴槽の湯温を上昇させる必要温度によって決定されることを特徴とする請求項２に記載された貯湯式給湯装置。
【請求項４】
前記第１の三方弁の開閉は、追い焚き動作以外の出湯の有無によって決定されることを特徴とする請求項２または請求項３に記載された貯湯式給湯装置。
【請求項５】
前記第１の三方弁の開閉は、貯湯タンク内の蓄熱量と、追い焚き動作以外の出湯の熱量との比較差によって決定されることを特徴とする請求項２から請求項４のいずれか１項に記載された貯湯式給湯装置。
【請求項６】
前記第１の三方弁は、貯湯タンクの湯と給水加熱装置からの湯を混合できる混合弁からなることを特徴とする請求項２に記載された貯湯式給湯装置。
【発明の詳細な説明】
【技術分野】
【０００１】
本発明は、電力によってヒートポンプユニット等の給水加熱装置を稼動させ、制御装置により指令された目標蓄熱量になるまで給水を加熱して、貯湯タンク内に貯めて置くことができる貯湯式給湯方法および貯湯式給湯装置に関するものである。本発明は、特に、前記貯湯タンク内の高温の湯を貯湯タンク外に循環し、浴槽への追い焚き動作の熱源としての機能を有する貯湯式給湯方法および貯湯式給湯装置に関するものである。
【背景技術】
【０００２】
従来の貯湯式給湯装置は、電力で稼動するヒートポンプユニットを用い、貯湯タンク内における下部の低温の湯、または水道からの給水を加熱し、高温の湯を前記貯湯タンク内の上部に貯えている。特に、前記貯湯式給湯装置は、前記貯湯タンク内の最下部の低温の湯をヒートポンプユニットにより加熱し、高温の湯として前記貯湯タンク内の最上部に送ることで、温度の異なる水の比重差を利用し、前記貯湯タンク内の上部側に高温の湯を貯え、前記貯湯タンク内の下部側の水と混合しないようにしている。また、前記貯湯式給湯装置は、前記貯湯タンク内の湯を出力する場合（たとえば、蛇口等を開き、前記貯湯タンク外で湯を消費する場合）、前記貯湯タンクの最上部に接続した出湯配管から前記蛇口に給湯し、前記貯湯タンクの最下部に接続された給水配管から前記貯湯タンク内に水を補給するようになっている。
【０００３】
また、前記給水加熱装置は、ヒートポンプユニットが使用されており、商用電力が供給されるので、なるべく深夜電力を利用し、電力料金の安い深夜時間帯（現在の所、２３時から翌日７時まで）で蓄熱を行い、料金の高い昼間の時間帯において極力蓄熱を行わないように、その日に使用する熱量を考慮して、当該深夜時間帯で蓄熱しておくように工夫されているものが多い。
【０００４】
また、前記貯湯式給湯装置は、一般に、浴槽の湯の温度を上昇させる機能、所謂、追い焚き機能を有することが普通である。たとえば、前記貯湯式給湯装置は、前記貯湯タンク内の高温の湯を前記貯湯タンク外に循環し、追い焚き動作の熱源として利用した後、再び前記貯湯タンクに戻すようになっている。前記追い焚き動作に利用された熱源は、前記貯湯タンク内に蓄熱されていた熱であり、当然ながら、利用した分、貯湯タンク内の熱量が低下する。
【０００５】
そのため、前記貯湯式給湯装置は、追い焚き動作中、ヒートポンプユニットによる加熱温度を設定可能な温度のうち、最高の温度に設定し、また、ヒートポンプユニットも最大の能力で稼動するように制御している。
【０００６】
さらに、前記貯湯式給湯装置は、ある期間における追い焚き使用時間を累積し、一定時間以上の使用実績の有無を判定し、前記使用実績がある場合、実績がない場合よりも、給水加熱装置による加熱温度を高く設定したり、貯湯タンク内の蓄熱量を少なく見積もるなどして、より高温の湯をより多く貯湯タンク内に貯めておくように工夫がなされている。また、前記貯湯式給湯装置は、出湯と追い焚き機能を同時に備えたものとして、下記の公報に記載されたものがある。
【特許文献１】特開２００５−１２７６５２号公報
【特許文献２】特開２００５−９８５６２号公報
【発明の開示】
【発明が解決しようとする課題】
【０００７】
しかし、上述のような貯湯式給湯装置では、貯湯タンク内に貯められた湯を追い焚き動作の熱源として利用するので、長時間出湯した場合、風呂湯張り運転後に出湯があった場合、あるいは、前記貯湯タンクの蓄熱量が少ない昼間の時間帯に追い焚き動作を行った場合、前記貯湯タンクの熱源として十分な湯が得られないことがある。ヒートポンプユニットは、最大能力で稼動するが、即座に貯湯タンク内の湯を高温にすることができない。
【０００８】
このような状況において、従来の貯湯式給湯装置は、貯湯タンク内に高温の湯が貯まるまで追い焚き動作を待機状態とし、その旨を使用者に報知するといった対処がなされているものがある。
【０００９】
以上のような課題を解決するために、本発明は、あらゆる時間帯、あらゆる使用状況下であっても、蓄熱量不足による追い焚き動作の不便さを解消し得る機能を備えた貯湯式給湯方法および貯湯式給湯装置を提供することを目的とする。
【課題を解決するための手段】
【００１０】
（第１発明）
第１発明の貯湯式給湯方法は、給水加熱装置を稼働させ、制御装置により指令された目標蓄熱量になるまで給水を加熱して、貯湯タンク内に湯を貯めて置き、前記湯を蛇口からの使用、および浴槽への追い焚きに使用するものであり、前記貯湯タンク内における目標熱量が所定温度以上の場合、前記貯湯タンク内の湯を追い焚き用に使用し、前記貯湯タンク内における目標熱量が所定温度以下の場合、給水加熱装置からの湯を追い焚き用に使用し、前記貯湯タンク内における目標熱量が所定温度以下で、出湯の指令があった場合、導水口からの出湯を優先し、前記貯湯タンク内の湯を追い焚き用に使用することを特徴とする。
【００１１】
（第２発明）
第２発明の貯湯式給湯装置は、給水加熱装置を稼働させ、制御装置により指令された目標蓄熱量になるまで給水を加熱して、貯湯タンク内に湯を貯めて置き、前記湯を蛇口からの使用、および浴槽への追い焚きに使用するものであり、前記貯湯タンク内における湯の温度を検出する温度検出手段と、前記貯湯タンク内の湯を加熱する第１の循環回路からなる給水加熱手段と、前記温度検出手段により前記貯湯タンク内における湯の温度が所定温度以上の場合、前記貯湯タンクから第２の循環回路へ、前記湯の温度が所定温度以下の場合、前記給水加熱装置側から第２の循環回路へ湯を送ることができる第１の三方弁と、前記第２の循環回路を循環する湯によって熱交換を行なう熱交換器と、前記熱交換器によって熱交換された湯が循環する第３の循環回路と、前記第３の循環回路に挿入されて浴槽に繋がる追い焚き用第２の三方弁とを少なくとも備えていることを特徴とする。
【００１２】
（第３発明）
第３の貯湯式給湯装置において、第２発明の貯湯タンク内における湯の所定温度は、浴槽の湯温を上昇させる必要温度によって決定されることを特徴とする。
【００１３】
（第４発明）
第４発明の貯湯式給湯装置における第２発明または第３発明の第１の三方弁の開閉は、追い焚き動作以外の出湯の有無によって決定されることを特徴とする。
【００１４】
（第５発明）
第５発明の貯湯式給湯装置において、第２発明から第４発明の第１の三方弁の開閉は、貯湯タンク内の蓄熱量と、追い焚き動作以外の出湯の熱量との比較差によって決定されることを特徴とする。
【００１５】
（第６発明）
第６発明の貯湯式給湯装置において、第２発明の第１の三方弁は、貯湯タンクの湯と給水加熱装置からの湯を混合できる混合弁からなることを特徴とする。
【発明の効果】
【００１６】
本発明によれば、追い焚き時に貯湯タンク内に高温の湯が不足しているような状況が生じても、給水加熱装置により加熱された湯を直接追い焚き用の熱源として利用することで、追い焚き動作待機といった使用者の不便さを解消することができる。
【００１７】
本発明によれば、給水加熱装置により加熱された湯を追い焚き動作の熱源として利用するか否かを、追い焚き動作による浴槽の湯の上昇温度、貯湯タンク内の温度および熱量、出湯動作の使用状況に応じて決定することで、より使用者の目的に合致した制御が行える。
【発明を実施するための最良の形態】
【００１８】
（第１発明）
第１発明の貯湯式給湯方法は、制御装置からの指令により、目標蓄熱量になるまで、給水加熱装置を稼働させて給水を加熱して、貯湯タンク内に湯を貯めて置き、前記貯湯タンク内に貯められた湯を蛇口から使用したり、あるいは、浴槽への追い焚き用に使用することができる。前記貯湯タンク内の湯は、温度検出手段により検出され、目標熱量が所定温度以上の場合、追い焚き用に使用される。前記貯湯タンク内の湯が前記温度検出手段により、目標熱量以下の場合、給水加熱装置からの湯は、直接追い焚き用に使用される。また、目標熱量以下で、出湯の指令があった場合、導水口からの湯を出湯として優先し、前記貯湯タンク内の湯は、追い焚き用として使用される。
【００１９】
（第２発明）
第２発明の貯湯式給湯装置は、給水加熱装置を稼働させ、制御装置により指令された目標蓄熱量になるまで給水を加熱して、貯湯タンク内に湯を貯めて置き、前記湯を蛇口からの使用、および浴槽への追い焚き用に使用する。温度検出手段は、前記貯湯タンク内における湯の温度を検出する。給水加熱手段は、前記貯湯タンクの下部から温度の低い湯を加熱した後、前記貯湯タンクの上部から吐き出す配管からなる第１の循環回路を備えている。また、第２の循環回路は、前記貯湯タンクの上部から熱交換器を介して前記貯湯タンクの下部に吐き出すように配管されている。
【００２０】
第１の三方弁は、前記温度検出手段により前記貯湯タンク内における湯の温度が所定温度以上の場合、前記貯湯タンクから第２の循環回路へ湯が流れるようにし、前記湯の温度が所定温度以下の場合、前記給水加熱装置によって加熱された湯が直接第２の循環回路へ送られるように制御される。すなわち、前記第１の循環回路を循環する湯は、前記第１の三方弁および前記熱交換器を介して第２の循環回路を流れる。前記熱交換器によって熱交換された湯は、第３の循環回路を循環し、追い焚き用第２の三方弁を介して浴槽の追い焚き窯に入る。前記貯湯タンク内の湯が所望の温度にならない場合であっても、給水加熱装置により加熱された湯を直接、熱交換器を介して追い焚きの熱源とすることができるため、使用者の不便を解消できる。
【００２１】
（第３発明）
第３発明の貯湯タンク内における湯の所定の湯温は、浴槽の湯温を上昇させる必要温度によって決定される。前記浴槽の湯温が低い場合、貯湯タンク内の湯の温度は、高くないと追い焚き時間がかかり過ぎる。また、反対に、前記浴槽の湯温が比較的高い場合、前記貯湯タンク内の湯の温度は、それほど高くなくとも、短時間に追い焚きができる。したがって、前記貯湯タンク内の湯の温度と浴槽の湯温との温度差は、貯湯タンク内の湯を使用するか、あるいは給水加熱装置で加熱された湯を使用するかを決定することができる。
【００２２】
（第４発明）
第４発明の第１の三方弁の開閉は、追い焚き動作以外の出湯の有無があるか否かによって決定される。第１の三方弁は、追い焚き動作以外の出湯がある場合、出湯側に開き、前記出湯がない場合、追い焚き側に開くようになっている。
【００２３】
（第５発明）
第５発明の第１の三方弁の開閉は、貯湯タンク内の蓄熱量と、追い焚き動作以外の出湯の熱量との比較差に基づいて決定される。すなわち、前記出湯の熱量が低く、貯湯タンク内の蓄熱量で賄える場合、前記出湯は、貯湯タンクから供給される。出湯の熱量が高い場合、前記第１の三方弁は、追い焚き側を閉じて、出湯側に開くようにする。
【００２４】
（第６発明）
第６発明の第１の三方弁は、混合弁として、貯湯タンクの湯と給水加熱装置で加熱された湯を混合して使用できるようになっている。すなわち、前記第１の三方弁は、出湯の指令があっても、完全に締めるのではなく、加熱された給水加熱装置からの湯の一部を出湯に使用し、残りを追い焚きに使用することができる。
【実施例】
【００２５】
図１は本発明の実施例である貯湯式給湯装置を説明するための概略図である。図１において、貯湯式給湯装置は、貯湯タンク１と、ヒートポンプユニット等の給水加熱装置２と、前記貯湯タンク１内の湯温および前記給水加熱装置２を制御する制御装置３とから構成されている。前記貯湯タンク１および給水加熱装置２は、給水配管１２と、第１の循環回路２０と、第２の循環回路４３と、第３の循環回路５７と、バイパス配管１５、５６と、第１の三方弁２３と、第２の三方弁５５と、第１の混合弁１６と、第２の混合弁５０と、ウォータポンプ４７、５３と、熱交換器８１と、貯湯タンク内のサーミスタ３１から３６と、配管内のサーミスタ２１、４８、５４、７１とから構成されている。
【００２６】
前記貯湯タンク１は、通常、ステンレス等、耐食性に優れた金属で造られており、外周部に図示されていない断熱材が配されて、高温の給湯用水を長時間に亘って保温可能となっている。前記貯湯タンク１は、一般に、縦長形状で、その底面に給水用の導入口１１と、前記導入口１１に前記貯湯タンク１内の最下部に給水（一般に水道水）Wfを導入するための給水配管１２とが接続されている。
【００２７】
給水配管１２は、サーミスタ２１等による給水温度検出手段が設けられている。前記給水配管１２内の温度情報は、制御装置３に出力するようになっている。前記給水配管１２は、前記第１の混合弁１６および第２の混合弁５０に接続するバイパス配管１５、５６に接続されており、給水Wfがこの中に選択的に流されるようになっている。
【００２８】
前記貯湯タンク１の最上部には、湯が出る導出口１３が設けられている。また、前記導出口１３には、前記貯湯タンク１内の湯を導出するための出湯経路である導出管１４が接続されている。前記導出管１４の途中には、第１の混合弁１６と第２の混合弁５０が設けられている。前記第１の混合弁１６および第２の混合弁５０は、その開口面積比を調節することで、導出管１４からの湯とバイパス配管１５、５６から供給される給水（水道水）Wfとの混合比を調節できる。一般に、前記第１の混合弁１６および第２の混合弁５０は、図示されていないサーボモータ等の駆動源により、弁体を駆動して各経路の開度を調節する電動弁であり、制御装置３からの制御信号により作動する。
【００２９】
前記第１の混合弁１６の出口側には、蛇口、シャワー、風呂等の出湯口７３への混合湯経路である出湯配管１７が接続されている。前記出湯配管１７には、出湯温度検出手段であるサーミスタ７１と、出湯量検出手段である流量カウンタ７２が設けられている。前記サーミスタ７１は、出湯配管１７内の温度情報を、流量カウンタ７２は、出湯配管１７内の流量情報をそれぞれ制御装置３に出力するようになっている。
【００３０】
前記第２の混合弁５０の出口側には、浴槽への往き側配管５１と、浴槽からの戻り側配管５２が環状に接続され、浴槽の湯を循環するためのウォータポンプ５３と、循環湯温検出手段であるサーミスタ５４が設けられている。前記サーミスタ５４は、第２の循環回路４３内に設けられた熱交換器８１による熱交換後で、第３の循環回路５７を循環する湯の温度情報を制御装置３に出力するようになっている。
【００３１】
前記浴槽への往き側配管５１の途中には、第２の三方弁５５が設けられ、制御装置３からの制御信号により浴槽の湯の循環経路を切り替えられるように接続されている。追い焚き動作時には、第２の三方弁５５を熱交換された湯が循環する第３の循環回路５７側へ切り替えるようになっている。
【００３２】
前記貯湯タンク１の下部には、前記貯湯タンク１内の最下部の水を給水加熱装置２の側に向けて吸入するための吸入口１８が設けられている。前記貯湯タンク１の上部側には、貯湯タンク１内の最上部に向けて前記給水加熱装置２から湯を吐出するための吐出口１９が設けられている。すなわち、吸入口１８と吐出口１９とは、第１の循環回路２０に接続されている。前記第１の循環回路２０の一部は、制御装置３により制御される給水加熱装置２内に配置されている。
【００３３】
前記給水加熱装置２は、たとえば、ヒートポンプユニットからなり、二酸化炭素等の冷媒を圧縮加熱し、内蔵の熱交換器（図示されていない）を介し第１の循環回路２０内の水を加熱した後、前記冷媒を膨張させることで元に戻し、循環使用する。なお、前記貯湯タンク１の最上部外壁面には、図示されていないが貯湯タンク出力湯温センサが設けられ、この検出温度情報もまた、制御装置３に送られる。
【００３４】
前記貯湯タンク１の上部に設けられた第２の循環回路４３には、第１の三方弁２３が設けられている。前記第１の三方弁２３は、制御装置３からの制御信号により第２の循環回路４３への供給口が給水加熱装置２側または吸入口４１側のどちらか一方になるように接続されている。前記第１の三方弁２３は、前記給水加熱装置２側に切り替えた場合、前記給水加熱装置２により加熱された湯が、また、吸入口４１側に切り替えた場合、貯湯タンク１の上部の湯が、それぞれ第２の循環回路４３へ供給されるようになっている。
【００３５】
貯湯タンク１は、上部に吸入口４１があるのに加え、下部に貯湯タンク１内に湯を吐出する吐出口４２が設けられていて、これら吸入口４１と吐出口４２とは第２の循環回路４３で循環するように接続されている。前記第２の循環回路４３は、内部に熱交換器８１が設けられている。前記熱交換器８１は、たとえば、対向流型であり、第２の循環回路４３を流れる高温の湯と、第３の循環回路５７を流れる浴槽の湯とを熱交換できるようになっている。
【００３６】
第２の循環回路４３の熱交換器８１が設けられた部位より下流側には、前記第２の循環回路４３内に湯を循環させるためのウォータポンプ４７と、循環湯温検出手段であるサーミスタ４８が設けられている。前記サーミスタ４８は、第２の循環回路４３内の熱交換器８１による熱交換後の湯の温度情報を制御装置３に出力するようになっている。
【００３７】
前記制御装置３は、これまで述べてきた各サーミスタや流量カウンタ７２からの出湯流量情報に加え、給水加熱装置２に備えられている外気温検出手段であるサーミスタ２２からの情報、また、図示しない操作盤に設けられた操作スイッチからの情報に基づいて、給水加熱装置２、第１の混合弁１６、第２の混合弁５０、ウォータポンプ４７、５３等を制御するように構成されている。なお、図示されていない操作盤は、一般に、浴室内や台所等、使用者が湯を使用する場所の近傍に設置され、操作盤以外は、屋外等の適所に設置されている。
【００３８】
さて、貯湯式給湯装置の図示されていない電源スイッチがオンにされている場合、前記制御装置３は、貯湯タンク１に設けられた各サーミスタからの温度情報等や、図示されていない操作盤により設定された時刻情報等に基づいて、適宜に給水加熱装置２を作動させ、貯湯タンク１内の水を加熱して高温の湯（例えば90℃の湯）まで沸かし上げる。また、前記貯湯式給湯装置における制御は、深夜電力を利用してなるべく安価に行なえるように図られている。
【００３９】
図示されていない操作盤の追い焚きスイッチがオンとされた場合、前記制御装置３は、ウォータポンプ４７、５３を作動し、第２の三方弁５５を熱交換器８１側へ駆動する。さらに、前記制御装置３は、第１の三方弁２３を駆動し、吸入口４１側に固定した場合、貯湯タンク１内の最上部にある吸入口４１から第２の循環回路４３内に高温の湯を吸入して循環させるとともに、熱交換器８１を介して、第３の循環回路５７内で浴槽の湯を循環させるように制御する。前記制御装置３は、第１の三方弁２３を給水加熱装置２側に固定した場合、前記給水加熱装置２で加熱した高温の湯を直接、第２の循環回路４３内に吸入するとともに、熱交換器８１を介して、第３の循環回路５７内に浴槽の湯を循環させるように制御する。
【００４０】
前記第３の循環回路５７内の浴槽の湯は、熱交換器８１において、第２の循環回路４３を流れる高温の湯と熱交換されることにより、追い焚き動作となる。このとき制御装置３は、水位サーミスタ３１、サーミスタ５４等の温度情報に基づき、熱交換器８１における熱交換が良好に行なわれるように、ウォータポンプ４７、５３の作動を制御する。
【００４１】
ここで、追い焚き動作時の第１の三方弁２３の駆動について説明する。追い焚き動作が開始されると、貯湯タンク１の上部における水位サーミスタ３１は、貯湯タンク１の上部における湯の温度を監視する。また、流量カウンタ７２は、出湯の有無を判定する。水位サーミスタ３１の比較対照は、予め設定された追い焚き動作（必要上昇温度）ごとの温度である。前記温度は、追い焚き動作の熱源として最低限必要となる温度付近とする。（例えば６０℃）
【００４２】
前記制御装置３は、水位サーミスタ３１が６０℃未満の場合、追い焚き動作のため給水加熱装置２を稼動する。前記制御装置３は、追い焚き動作以外の蓄熱のために、前記給水加熱装置２を稼動している場合もある。前記制御装置３は、前記流量カウンタ７２により出湯中と判断した場合、出湯を優先するように制御する。出湯を優先する場合、第１の三方弁２３は、貯湯タンク１の上部の湯を吸入できるように、吸入口４１側に固定される。前記制御装置３は、給水加熱装置２で加熱された湯を貯湯タンク１内に供給するように制御する一方、貯湯タンク１内の最上部の湯が追い焚き動作の熱源となるように制御する。
【００４３】
水位サーミスタ３１が６０℃未満の場合で、流量カウンタ７２により出湯なしと判断した場合、第１の三方弁２３は、制御装置３により、給水加熱装置２側に固定される。これにより、給水加熱装置２により加熱された湯は、第２の循環回路４３を循環し、追い焚き動作の熱源となる。
【００４４】
水位サーミスタ３１が６０℃以上の場合、熱源として十分な湯が貯湯タンク内に蓄積されているため、流量カウンタ７２の状態にかかわらず、第１の三方弁２３は、吸入口４１側に固定されるように制御されている。
【００４５】
以上、追い焚き動作開始時の動作について説明したが、追い焚き動作中についても同様である。追い焚き動作開始時、水位サーミスタ３１が６０℃以上で、第１の三方弁２３が吸入口４１側に固定された場合、動作途中で水位サーミスタ３１が６０℃未満となった場合、第１の三方弁２３は、制御装置３により、給水加熱装置２側に切り替えられ、加熱された湯が追い焚き動作の熱源となるように制御される。
【００４６】
さらに、流量カウンタ７２により出湯を検出した場合には、再度、第１の三方弁２３を吸入口４１側に切り替え、貯湯タンク１内の湯を加熱する一方、貯湯タンク１内の最上部の湯が追い焚き動作の熱源となる。
【００４７】
前記制御装置３は、貯湯タンク１内の蓄熱量と追い焚き動作以外の運転に要する熱量とを常時算出し、蛇口、シャワーの出湯を開始した場合であっても、その熱量差によって、第１の三方弁２３の固定位置の切り替えを実施すると良い。
【００４８】
以上詳述したように、給水加熱装置２により加熱された湯を追い焚き動作の熱源とする手段として、第１の三方弁２３を利用した場合について説明したが、前記第１の三方弁２３を混合弁とすることができる。前記混合弁は、前記貯湯タンク１内の温度あるいは蓄熱量によって、その開口面積比を変化させ、給水加熱装置２からの湯と貯湯タンク１上部の湯の混合比を調節し、その混合された湯を追い焚き動作の熱源とすることも可能である。
【００４９】
図２は本発明の一実施例をフローチャートにした図である。図３は本発明の一実施例を時系列的に表したものである。図２および図３において、制御装置３は、給水加熱装置２の駆動を開始するように制御される（ステップ２１１、図３（イ））。前記制御装置３は、浴槽の湯を追い焚きするための指令があるか否かを調べる（ステップ２１２）。前記制御装置３は、前記浴槽の追い焚き動作であると判断した場合、貯湯タンク１における上部の湯の温度が設定された温度に達しているか否かを調べる（ステップ２１３）。
【００５０】
前記制御装置３は、貯湯タンク１における上部の湯の温度が設定された温度に達していないと判断した場合（ステップ２１３）、出湯の指令があるか否かを調べる（ステップ２１４）。前記制御装置３は、出湯の指令がないと判断した場合、第１の三方弁２３を給水加熱装置２側（図３（イ））になるように制御する（ステップ２１５）。前記制御装置３の制御により、第２の循環回路４３には、前記給水加熱装置２から高温度の湯が直接循環するようになり、浴槽の追い焚き動作状態になる（ステップ２１６）。
【００５１】
前記制御装置３は、ステップ２１２において、追い焚き動作がないと判断した場合、貯湯タンク１の上部の湯を出湯として出力させる（ステップ２１７）。また、ステップ２１４において、前記制御装置３は、追い焚き動作で、かつ、貯湯タンク１内の湯の温度が設定温度ではなく、出湯の指令があると判断した場合、第１の三方弁２３を貯湯タンク１の吸入口４１側にして（ステップ２１８、図３（ロ））、前記貯湯タンク１の湯を第２の循環回路４３に循環させて、追い焚き動作にする（ステップ２１９）。そして、出湯は、給水加熱装置２から貯湯タンク１を経由した湯を優先して使用する。
【００５２】
ステップ２１３において、前記制御装置３は、追い焚き動作であり、かつ、貯湯タンク１内の湯の温度が設定温度であると判断した場合、出湯の指令があるか否かに関わらず、第１の三方弁２３を吸入口４１側にして（ステップ２２０）、貯湯タンク１内の湯で追い焚き状態にする（ステップ２２１、図３（ハ））。
【００５３】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、貯湯タンク、給水加熱装置、制御装置、サーミスタ等の温度検出部材、弁類、配管類は、公知または周知のものを使用することができる。
【図面の簡単な説明】
【００５４】
【図１】本発明の実施例である貯湯式給湯装置を説明するための概略図である。（実施例）
【図２】本発明の一実施例をフローチャートにした図である。
【図３】本発明の一実施例を時系列的に表したものである。
【符号の説明】
【００５５】
１  ・・・貯湯タンク
２  ・・・給水加熱装置（ヒートポンプユニット）
３  ・・・制御装置
１１・・・導入口
１２・・・給水配管
１３・・・導出口
１４・・・導出管
１５・・・バイパス配管
１６・・・第１の混合弁
１７・・・出湯配管
１８・・・吸入口
１９・・・吐出口
２０・・・第１の循環回路
２３・・・第１の三方弁
２１、２２、３１〜３６、４８、５４、７１・・・サーミスタ
４１・・・吸入口
４２・・・吐出口
４３・・・第２の循環回路
４７・・・ウォータポンプ
５０・・・第２の混合弁
５１・・・浴槽への往き側配管
５２・・・浴槽からの戻り側配管
５３・・・ウォータポンプ
５５・・・第２の三方弁
５６・・・バイパス配管
５７・・・第３の循環回路
７２・・・流量カウンタ
７３・・・出湯口
８１・・・熱交換器
【図１】
2007010283.tif 000003
【図２】
2007010283.tif 000004
【図３】
2007010283.tif 000005